(57)【要約】【課題】  移動局から基地局への上りの制御情報の信頼性を向上させることにより、基地局から移動局への高速データ伝送が確実に行われ、高速データ伝送のスループットを向上させることができる移動局、移動通信システムおよび同システムの基地局を提供する。【解決手段】  本発明が適用された移動局は、アクティブセットの基地局からの受信電力パラメータ１８ａを算出して、アクティブセットの基地局の中からプライマリー基地局を決定する基地局選択部１９と、このプライマリー基地局のＩＤ１９ａを上りの制御チャネルによりアクティブセットの基地局へ送信する送信処理部２３と、アクティブセットの基地局からの電力制御コマンド２０ａを抽出する電力制御コマンド抽出部２０と、プライマリー基地局として選択している基地局からの電力制御コマンドにより前記制御情報の送信電力を制御する送信電力制御部２２とを備える。【選択図】  図２
2005184099.tif 000002
【特許請求の範囲】
【請求項１】
アクティブセットの複数の基地局の中からデータ送信元となるプライマリー基地局を選択する基地局選択手段と、
前記基地局選択手段で選択された前記プライマリー基地局を示すプライマリー基地局ＩＤを上り制御チャネルにより所定の送信電力で前記アクティブセットの複数の基地局へ送信する送信手段と、
前記アクティブセットの複数の基地局から送信された複数の電力制御コマンド信号及び前記プライマリー基地局として選択している基地局から送信されたデータ信号を受信する受信手段と、
前記受信手段によって受信された前記複数の電力制御コマンド信号の中から前記プライマリー基地局として選択している基地局からの前記電力制御コマンド信号により前記プライマリー基地局ＩＤ送信時の前記上り制御チャネルの前記送信電力を制御する送信電力制御手段と
を具備することを特徴とする移動局。
【請求項２】
アクティブセットの複数の基地局の中からデータ送信元となるプライマリー基地局を選択する基地局選択手段と、
前記基地局選択手段で選択された前記プライマリー基地局を示すプライマリー基地局ＩＤを上り制御チャネルにより所定の送信電力で前記アクティブセットの複数の基地局へ送信する送信手段と、
前記アクティブセットの複数の基地局から送信された複数の電力制御コマンド信号及び前記プライマリー基地局として選択している基地局から送信されたデータ信号を受信する受信手段と、
前記プライマリー基地局を変更する時に、変更後のプライマリー基地局ＩＤ送信の所定時間前から、変更後のプライマリー基地局として選択している基地局からの前記電力制御コマンド信号により前記上り制御チャネルの送信電力を制御する送信電力制御手段と
を具備することを特徴とする移動局。
【請求項３】
アクティブセットの複数の基地局の中からデータ送信元となるプライマリー基地局を選択する基地局選択手段と、
前記基地局選択手段で選択された前記プライマリー基地局を示すプライマリー基地局ＩＤを上り制御チャネルにより所定の送信電力で前記アクティブセットの複数の基地局へ送信する送信手段と、
前記アクティブセットの複数の基地局から送信された複数の電力制御コマンド信号及び前記プライマリー基地局として選択している基地局から送信されたデータ信号を受信する受信手段と、
前記受信手段によって所定期間内に受信する前記複数の電力制御コマンド信号から電力増加を求めるコマンドの比率を前記複数の基地局毎に算出し、その比率に基づき前記上り制御チャネルの上り伝搬環境品質を判定する上り伝搬環境判定手段と、
前記プライマリー基地局を変更する時に、前記上り伝搬環境判定手段に基づき前記変更後のプライマリー基地局として選択している基地局の前記上り伝搬環境品質が前記変更前のプライマリー基地局として選択している基地局の前記上り伝搬環境品質より悪い場合、変更後のプライマリー基地局ＩＤ送信の所定時間前から、変更後のプライマリー基地局として選択している基地局からの前記電力制御コマンド信号により前記上り制御チャネルの送信電力を制御する送信電力制御手段と
を具備することを特徴とする移動局。
【請求項４】
前記送信電力制御手段は、
前記プライマリー基地局を変更する時に、前記上り伝搬環境判定手段に基づき前記変更後のプライマリー基地局として選択している基地局の前記上り伝搬環境品質が前記変更前のプライマリー基地局として選択している基地局の前記上り伝搬環境品質より良い場合、変更後のプライマリー基地局ＩＤ送信時に、変更後のプライマリー基地局として選択している基地局からの前記電力制御コマンド信号により前記上り制御チャネルの送信電力を制御することを特徴とする請求項３に記載の移動局。
【請求項５】
アクティブセットの複数の基地局の中からデータ送信元となるプライマリー基地局を選択する基地局選択手段と、
前記アクティブセットの複数の基地局に対して伝達すべきシステム必須情報を上り制御チャネルにより所定の送信電力で前記アクティブセットの複数の基地局へ送信する送信手段と、
前記アクティブセットの複数の基地局から送信された複数の電力制御コマンド信号及び前記プライマリー基地局として選択している基地局から送信されたデータ信号を受信する受信手段と、
前記受信手段によって所定期間内に受信する前記複数の電力制御コマンド信号から電力増加を求めるコマンドの比率を前記複数の基地局毎に算出し、その比率に基づき前記上り制御チャネルの上り伝搬環境品質を判定し、この上り伝搬環境品質が最も悪い基地局を抽出する上り伝搬環境判定手段と、
前記システム必須情報送信タイミングの所定時間前から、前記上り伝搬環境品質が最も悪い基地局からの前記電力制御コマンド信号により前記上り制御チャネルの送信電力を制御する送信電力制御手段と
を具備することを特徴とする移動局。
【請求項６】
前記データ信号のチャネルは、高速共用チャネルまたは個別チャネルであることを特徴とする請求項１乃至請求項５のいずれか１項に記載の移動局。
【請求項７】
移動局とアクティブセットの複数の基地局との間で無線通信する移動通信システムにあって、
前記移動局は、
前記アクティブセットの複数の基地局の中からデータ送信元となるプライマリー基地局を選択する基地局選択手段と、
前記基地局選択手段で選択された前記プライマリー基地局を示すプライマリー基地局ＩＤを上り制御チャネルにより所定の送信電力で前記アクティブセットの複数の基地局へ送信する送信手段と、
前記アクティブセットの複数の基地局から送信された複数の電力制御コマンド信号及び前記プライマリー基地局として選択している基地局から送信されたデータ信号を受信する受信手段と、
前記受信手段によって受信された前記複数の電力制御コマンド信号の中から前記プライマリー基地局として選択している基地局からの前記電力制御コマンド信号により前記プライマリー基地局ＩＤ送信時の前記上り制御チャネルの前記送信電力を制御する送信電力制御手段とを有し、
前記基地局は、
前記上り制御チャネルによって前記移動局から送信された信号の受信電力パラメータを算出する受信電力測定手段と、
前記受信電力測定手段によって算出された前記受信電力パラメータに基づいて、前記上り制御チャネルの送信電力の増減を指示する前記電力制御コマンドを生成して送信する送信情報制御手段と
を具備することを特徴とする移動通信システム。
【請求項８】
移動局とアクティブセットの複数の基地局との間で無線通信する移動通信システムにあって、
前記移動局は、
前記アクティブセットの複数の基地局の中からデータ送信元となるプライマリー基地局を選択する基地局選択手段と、
前記基地局選択手段で選択された前記プライマリー基地局を示すプライマリー基地局ＩＤを上り制御チャネルにより所定の送信電力で前記アクティブセットの複数の基地局へ送信する送信手段と、
前記アクティブセットの複数の基地局から送信された複数の電力制御コマンド信号及び前記プライマリー基地局として選択している基地局から送信されたデータ信号を受信する受信手段と、
前記プライマリー基地局を変更する時に、変更後のプライマリー基地局ＩＤ送信の所定時間前から、変更後のプライマリー基地局として選択している基地局からの前記電力制御コマンド信号により前記上り制御チャネルの送信電力を制御する送信電力制御手段とを有し、
前記基地局は、
前記上り制御チャネルによって前記移動局から送信された信号の受信電力パラメータを算出する受信電力測定手段と、
前記受信電力測定手段によって算出された前記受信電力パラメータに基づいて、前記上り制御チャネルの送信電力の増減を指示する前記電力制御コマンドを生成して送信する送信情報制御手段とを有する
ことを特徴とする移動通信システム。
【請求項９】
移動局とアクティブセットの複数の基地局との間で無線通信する移動通信システムにあって、
前記移動局は、
前記アクティブセットの複数の基地局の中からデータ送信元となるプライマリー基地局を選択する基地局選択手段と、
前記基地局選択手段で選択された前記プライマリー基地局を示すプライマリー基地局ＩＤを上り制御チャネルにより所定の送信電力で前記アクティブセットの複数の基地局へ送信する送信手段と、
前記アクティブセットの複数の基地局から送信された複数の電力制御コマンド信号及び前記プライマリー基地局として選択している基地局から送信されたデータ信号を受信する受信手段と、
前記受信手段によって所定期間内に受信する前記複数の電力制御コマンド信号から電力増加を求めるコマンドの比率を前記複数の基地局毎に算出し、その比率に基づき前記上り制御チャネルの上り伝搬環境品質を判定する上り伝搬環境判定手段と、
前記プライマリー基地局を変更する時に、前記上り伝搬環境判定手段に基づき前記変更後のプライマリー基地局として選択している基地局の前記上り伝搬環境品質が前記変更前のプライマリー基地局として選択している基地局の前記上り伝搬環境品質より悪い場合、変更後のプライマリー基地局ＩＤ送信の所定時間前から、変更後のプライマリー基地局として選択している基地局からの前記電力制御コマンド信号により前記上り制御チャネルの送信電力を制御する送信電力制御手段とを有し、
前記基地局は、
前記上り制御チャネルによって前記移動局から送信された信号の受信電力パラメータを算出する受信電力測定手段と、
前記受信電力測定手段によって算出された前記受信電力パラメータに基づいて、前記上り制御チャネルの送信電力の増減を指示する前記電力制御コマンドを生成して送信する送信情報制御手段とを有する
ことを特徴とする移動通信システム。
【請求項１０】
前記移動局の前記送信電力制御手段は、
前記プライマリー基地局を変更する時に、前記上り伝搬環境判定手段に基づき前記変更後のプライマリー基地局として選択している基地局の前記上り伝搬環境品質が前記変更前のプライマリー基地局として選択している基地局の前記上り伝搬環境品質より良い場合、変更後のプライマリー基地局ＩＤ送信時に、変更後のプライマリー基地局として選択している基地局からの前記電力制御コマンド信号により前記上り制御チャネルの送信電力を制御することを特徴とする請求項９に記載の移動通信システム。
【請求項１１】
前記基地局は、
前記移動局から送信される前記プライマリー基地局ＩＤと自局が保有するＩＤとを比較し、一致する場合は前記プライマリー基地局に選択されていると判断する第１の判断手段と、
前記電力制御コマンド信号の所定期間内の増加率を算出し、所定の上限閾値と下限閾値との間にある場合は前記プライマリー基地局に選択されていると判断する第２の判断手段とを有し、
前記第１の判断手段および前記第２の判断手段により、前記プライマリー基地局の選択を判断することを特徴とする請求項７乃至請求項１０のいずれか１項に記載の移動通信システム。
【請求項１２】
移動局とアクティブセットの複数の基地局との間で無線通信を行う移動通信システムの基地局にあって、
前記移動局からの上り制御チャネルによって送信された信号の上り受信電力パラメータを算出する受信電力測定手段と、
前記上り制御チャネルの送信電力の増減を指示する電力制御コマンドを生成して送信する送信情報制御手段と、
前記移動局から送信されるプライマリー基地局を示すプライマリー基地局ＩＤと自局が保有するＩＤとを比較し、一致する場合は前記プライマリー基地局に選択されていると判断する第１の判断手段と、
前記電力制御コマンドの所定期間内の増加率を算出し、所定の上限閾値と下限閾値との間にある場合は前記プライマリー基地局に選択されていると判断する第２の判断手段と
を具備することを特徴とする移動通信システムの基地局。
【発明の詳細な説明】
【技術分野】
【０００１】
本発明は、制御情報の通信の信頼性を向上させることができる移動局、移動通信システムおよび同システムの基地局に関するもので、特に、第３世代の移動通信システムに関する。
【背景技術】
【０００２】
ＩＭＴ−２０００（Ｉｎｔｅｒｎａｔｉｏｎａｌ  Ｍｏｂｉｌｅ  Ｔｅｌｅｃｏｍｍｕｎｉｃａｔｉｏｎｓ−２０００）の標準化団体である３ＧＰＰ（３ｒｄ  Ｇｅｎｅｒａｔｉｏｎ  Ｐａｒｔｎｅｒｓｈｉｐ  Ｐｒｏｊｅｃｔ）において、高速下りパケット伝送方式（ＨＳＰＤＡ：Ｈｉｇｈ−Ｓｐｅｅｄ  ｄｏｗｎｌｉｎｋ  Ｐａｃｋｅｔ  Ａｃｃｅｓｓ）の標準化が検討されている（非特許文献１参照。）。
【０００３】
高速下りパケット伝送方式（ＨＳＰＤＡ）は、基地局から移動局への動画像のダウンロードやストリーミングサービス等の高速通信を実現するために、１０Ｍｂｐｓ以上の最大伝送速度を有している。
【０００４】
また、３ＧＰＰをさらに改善すべく検討されたセルラシステムがある（例えば、特許文献１参照。）。この特許文献１のセルラシステムにあっては、基地局から移動局へ下り高速パケット伝送を行うに先立って、アクティブセットの各基地局は、プライマリー基地局を選択するシーケンス期間のみにおいて、基地局が所望するＳＩＲ（受信信号電力対干渉信号電力比）にオフセットを加えている。
【０００５】
これにより、移動局は、この下り高速パケット伝送を行う期間のみにおいて、３ＧＰＰの場合よりも上り制御チャネルの送信電力を増加させることが出来る。その結果、アクティブセット基地局は、移動局から上り制御チャネルを介して送信されたプライマリー基地局ＩＤを誤りなく受信できるようになる。
【非特許文献１】３ＧＰＰ発行「Ｔｅｃｈｎｉｃａｌ  Ｓｐｅｃｉｆｉｃａｔｉｏｎ  ＴＲ２５．８４８ｖ４．０．０」２００１年３月
【特許文献１】特開２００２−３２５０６３号公報（第９−１２頁、図１−図６）
【発明の開示】
【発明が解決しようとする課題】
【０００６】
ところで、上述した非特許文献１に記載される従来技術のシステムにおいては、少なくとも１つのアクティブセット基地局にて、移動局から上り制御チャネルを介した制御情報を誤りなく受信できる保証を行っている。そのために、プライマリー基地局が「少なくとも１つのアクティブセット基地局」に該当するとは限らない。そして、プライマリー基地局では、移動局からのプライマリー基地局ＩＤが誤りなく受信できることを保証するものではない。また、アクティブセットの全ての基地局において、移動局からのプライマリー基地局ＩＤが誤りなく受信できることを保証するものではない。
【０００７】
その結果、アクティブセット基地局では、プライマリー基地局が選択されていないと認識して下り高速パケット伝送を停止してしまい、スループットが低下する問題があった。あるいは、アクティブセット基地局の複数が、プライマリー基地局として選択されていると認識して下り高速パケット伝送を開始してしまい、移動局における干渉の増加やチャネル利用効率が低下するという問題がある。
【０００８】
また、上述した特許文献１の従来技術のシステムにおいては、プライマリー基地局を選択するシーケンス期間以外では、移動局から基地局への上り制御チャネルによる情報通信の信頼性は、上記した非特許文献１と同様である。その結果、アクティブセット基地局が、プライマリー基地局ＩＤ以外の情報通信をプライマリー基地局ＩＤの情報通信と誤って認識して下り高速パケット伝送を開始してしまい、移動局における干渉の増加やチャネル利用効率が低下するという問題がある。
【０００９】
本発明は、上記の問題点を解決するためになされたもので、移動局から基地局への上りの制御情報の信頼性を向上させることにより、基地局から移動局へのデータ伝送が確実に行われ、データ伝送のスループットを向上させることができる移動局、移動通信システムおよび同システムの基地局を提供することを目的とする。
【課題を解決するための手段】
【００１０】
上記目的を達成するために、本発明の移動局は、アクティブセットの複数の基地局の中からデータ送信元となるプライマリー基地局を選択する基地局選択手段と、前記基地局選択手段で選択された前記プライマリー基地局を示すプライマリー基地局ＩＤを上り制御チャネルにより所定の送信電力で前記アクティブセットの複数の基地局へ送信する送信手段と、前記アクティブセットの複数の基地局から送信された複数の電力制御コマンド信号及び前記プライマリー基地局として選択している基地局から送信されたデータ信号を受信する受信手段と、前記受信手段によって受信された前記複数の電力制御コマンド信号の中から前記プライマリー基地局として選択している基地局からの前記電力制御コマンド信号により前記プライマリー基地局ＩＤ送信時の前記上り制御チャネルの前記送信電力を制御する送信電力制御手段とを具備することを特徴とする。
【００１１】
また、本発明の移動局は、アクティブセットの複数の基地局の中からデータ送信元となるプライマリー基地局を選択する基地局選択手段と、前記基地局選択手段で選択された前記プライマリー基地局を示すプライマリー基地局ＩＤを上り制御チャネルにより所定の送信電力で前記アクティブセットの複数の基地局へ送信する送信手段と、前記アクティブセットの複数の基地局から送信された複数の電力制御コマンド信号及び前記プライマリー基地局として選択している基地局から送信されたデータ信号を受信する受信手段と、前記プライマリー基地局を変更する時に、変更後のプライマリー基地局ＩＤ送信の所定時間前から、変更後のプライマリー基地局として選択している基地局からの前記電力制御コマンド信号により前記上り制御チャネルの送信電力を制御する送信電力制御手段とを具備することを特徴とする。
【００１２】
また、本発明の移動局は、アクティブセットの複数の基地局の中からデータ送信元となるプライマリー基地局を選択する基地局選択手段と、前記基地局選択手段で選択された前記プライマリー基地局を示すプライマリー基地局ＩＤを上り制御チャネルにより所定の送信電力で前記アクティブセットの複数の基地局へ送信する送信手段と、前記アクティブセットの複数の基地局から送信された複数の電力制御コマンド信号及び前記プライマリー基地局として選択している基地局から送信されたデータ信号を受信する受信手段と、前記受信手段によって所定期間内に受信する前記複数の電力制御コマンド信号から電力増加を求めるコマンドの比率を前記複数の基地局毎に算出し、その比率に基づき前記上り制御チャネルの上り伝搬環境品質を判定する上り伝搬環境判定手段と、前記プライマリー基地局を変更する時に、前記上り伝搬環境判定手段に基づき前記変更後のプライマリー基地局として選択している基地局の前記上り伝搬環境品質が前記変更前のプライマリー基地局として選択している基地局の前記上り伝搬環境品質より悪い場合、変更後のプライマリー基地局ＩＤ送信の所定時間前から、変更後のプライマリー基地局として選択している基地局からの前記電力制御コマンド信号により前記上り制御チャネルの送信電力を制御する送信電力制御手段とを具備することを特徴とする。
【発明の効果】
【００１３】
本発明によれば、移動局から基地局への上りの制御情報の信頼性を向上させることにより、基地局から移動局への高速データ伝送が確実に行われ、高速データ伝送のスループットを向上させることが可能となる。
【発明を実施するための最良の形態】
【００１４】
以下、本発明の各実施例を、図面を参照して説明する。  
図１〜図９は、本発明を移動通信システムに適用した実施例を示し、図１は移動通信システムの構成図、図２は移動局の主要部の構成を示すブロック図、図３は基地局の主要部の構成を示すブロック図である。また、図４〜図８は実施例１〜４における送信電力制御を示すシーケンス図、図９は実施例５における基地局の動作を示すフローチャートである。
【００１５】
図１は、ハンドオーバー状態にある移動通信システムの一例の構成図を示す。携帯電話機などの移動局４は、基地局１、基地局２、基地局３および図示しない他の基地局から送信される共通パイロット信号の受信電力を測定している。図１では、所定の閾値以上である、例えば基地局１、基地局２および基地局３と移動局４との間でハンドオーバー状態にあるとしている。このハンドオーバー状態にある基地局をアクティブセットと称し、この例では、基地局１、基地局２および基地局３がアクティブセットである。この複数のアクティブセット基地局１〜３の中で、移動局４へ高速下りデータ伝送を行う基地局をプライマリー基地局という。このプライマリー基地局は、移動局４の判断により決定される。
【００１６】
この図１に示した移動通信システムにおいて、移動局４と基地局１〜３との間の通信チャネルとして、４つの通信チャネルがある。即ち、下り高速共用チャネル１ａ、２ａおよび３ａ、下り共通パイロットチャネル１ｂ、２ｂおよび３ｂ、下り個別チャネル１ｃ、２ｃおよび３ｃは、基地局１〜３から移動局４へデータ送信する通信チャネルである。また、上り制御チャネル４ａは、移動局４から基地局１〜３へデータ送信する通信チャネルである。
【００１７】
そして、下り高速共用チャネル１ａ、２ａおよび３ａは、基地局１〜３から移動局４へデータ送信を高速パケット伝送する時に使用される。下り共通パイロットチャネル１ｂ、２ｂおよび３ｂは、基地局１〜３から移動局４へ共通パイロット信号を送信する時に使用される。そして、移動局４では、その共通パイロット信号の受信電力を測定して、下り伝搬環境品質の判断を行う。また、下り個別チャネル１ｃ、２ｃおよび３ｃは、移動局の送信電力の増減を指示する電力制御コマンドを基地局１〜３から移動局４へ送信する時に使用される。
【００１８】
一方、移動局４から基地局１〜３へデータ送信する通信チャネルである上り制御チャネル４ａのフレーム構成は、個別パイロット信号および制御データフレーム等から構成されている。この個別パイロット信号に基づいて、基地局１〜３は移動局４からの受信電力を測定する。また、制御データフレームに基づいて、基地局１〜３は移動局４が決定したプライマリー基地局ＩＤやその他の制御情報を受信する。
【００１９】
図２は、移動局４の主要部の構成を示すブロック図である。移動局４の主要部は、アンテナ１１、無線処理部１２、同期処理部１３、信号処理部１４、分離処理部１５、復号処理部１６、受信データ制御部１７、受信電力測定部１８、基地局選択部１９、電力制御コマンド抽出部２０、送信データ制御部２１、送信電力制御部２２、送信処理部２３などにより構成されている。
【００２０】
次に、移動局４の各部の機能について説明する。基地局１〜３から送信された無線信号はアンテナ１１により受信され、無線処理部１２に送出される。無線処理部１２は、受信した無線信号に対してダウンコンバートやＡ／Ｄ変換等の無線処理を行い、その変換した信号を同期処理部１３および信号処理部１４に送出する。
【００２１】
同期処理部１３は、変換された無線信号から同期信号を抽出して、最適な受信タイミング信号を信号処理部１４に送出する。信号処理部１４は、同期処理部１３から出力された受信タイミングを用いて、変換された無線信号に対して伝送路補償や復調処理等の信号処理を行う。分離処理部１５は、信号処理部１４によって信号処理を施された無線信号から、下り高速共用チャネルによるデータ信号１５ａ、下り共通パイロットチャネルによる共通パイロット信号１５ｂ、および下り個別チャネルによる制御信号１５ｃを抽出する。
【００２２】
復号処理部１６は、分離処理部１５から出力されたデータ信号１５ａを受信すると、ターボ復号やビタビ復号等の復号処理を行い、その復号データ１６ａを受信データ制御部１７へ送出する。受信データ制御部１７は、復号データ１６ａの内容に応じた処理を行う。
【００２３】
受信電力測定部１８は、分離処理部１５から出力された共通パイロット信号１５ｂを受信すると、その受信電力、受信ＳＩＲ（受信信号電力対干渉信号電力比）、伝搬損失等の受信電力パラメータ１８ａを算出し、その算出結果を基地局選択部１９へ送出する。
【００２４】
基地局選択部１９は、受信電力測定部１８から出力された受信電力パラメータ１８ａを受信すると、下り伝搬環境の最良の基地局を抽出するための判断を行う。この判断方法としては、例えば、受信電力が大きい方を最良の基地局とする方法、また、受信ＳＩＲが大きい方を最良の基地局とする方法、また、伝搬損失が小さい方を最良の基地局とする方法等のいずれの方法であっても良い。更に、それらの判断を複数個組み合わせて最良の基地局を抽出しても良い。基地局選択部１９は、抽出した下り伝搬環境の最良の基地局を、下りの高速データ伝送を行うプライマリー基地局として決定する。
【００２５】
そして、基地局選択部１９は、決定したプライマリー基地局を識別するためのＩＤをプライマリー基地局ＩＤ１９ａとして、送信電力制御部２２および送信データ制御部２１へ送出する。
【００２６】
電力制御コマンド抽出部２０は、分離処理部１５から出力された制御信号１５ｃを受信すると、アクティブセットの全基地局からの電力制御コマンド２０ａを抽出し、それを送信電力制御部２２へ送出する。
【００２７】
送信データ制御部２１は、移動局４内で作成され、アクティブセットの全基地局に送信する送信データ２１ｂを送信処理部２３へ送出する。この送信データ２１ｂとして、上記したプライマリー基地局を示すプライマリー基地局ＩＤや、その他のＡＣＫ信号などの制御情報がある。また、送信データ制御部２１は、プライマリー基地局ＩＤをアクティブセットの全基地局に送信するタイミングを示すＩＤ送出タイミング２１ａを送信電力制御部２２へ送出する。
【００２８】
送信処理部２３は、送信データ制御部２１から出力された送信データ２１ｂを受信すると、ターボ符号化や畳み込み符号化等の符号化処理や変調処理等の信号処理を行い、それにより作成された送信信号２３ａを無線処理部１２へ送出する。
【００２９】
無線処理部１２は、送信処理部２３から出力された送信信号２３ａを受信すると、Ｄ／Ａ変換やアップコンバート等の無線処理を行って無線信号を生成し、アンテナ１１へ送出する。アンテナ１１は、上り制御チャネル４ａを介してその無線信号をアクティブセットの全基地局へ送信する。
【００３０】
送信電力制御部２２は、基地局選択部１９から出力されたプライマリー基地局ＩＤ１９ａ、電力制御コマンド抽出部２０から出力されたアクティブセットの全基地局からの電力制御コマンド２０ａ、および送信データ制御部２１から出力されたＩＤ送出タイミング２１ａを受信すると、送信電力信号２２ａを無線処理部１２へ送出する。無線処理部１２は上記と同じ無線処理を行い、それによって生成した無線信号をアンテナ１１から上り制御チャネル４ａを介してアクティブセットの全基地局へ送信する。
【００３１】
なお、移動局４の構成は、上記したブロック単位に限定されることはなく、例えば、受信電力測定部１８と基地局選択部１９を同一ブロックにしても良い。また、電力制御コマンド抽出部２０と送信電力制御部２２を同一ブロックにしても良い。その組み合わせは、信号の流れに沿ってハード構成を任意に設計して構わない。
【００３２】
図３は、基地局１〜３に適用される主要部のブロック図である。基地局の主要部は、アンテナ５１、無線処理部５２、受信処理部６０、受信データ制御部５３、ユーザ管理部５４、送信データ制御部５５及び送信処理部５６等により構成される。
【００３３】
この内、受信処理部６０は、基地局が通信対象とする移動局の数だけ設けられる。この受信処理部６０は、同期処理部６１、信号処理部６２、分離処理部６３、復号処理部６４、プライマリー基地局ＩＤ抽出部６５、受信電力測定部６６、電力制御コマンド生成部６７等により構成される。
【００３４】
移動局４からの無線信号は、アンテナ５１にて受信され無線処理部５２に送出される。無線処理部５２は、受信した無線信号に対してダウンコンバートやＡ／Ｄ変換等の無線処理を行い、同期処理部６１および信号処理部６２に送出する。
【００３５】
同期処理部６１は、タイミング同期を行い、最適な受信タイミングを信号処理部６２に送出する。信号処理部６２は、同期処理部６１からの受信タイミングを用いて伝送路補償や復調処理等の信号処理を行う。分離処理部６３は、信号処理部６２からの信号処理を施された入力信号から、上りの制御チャネルによるデータ信号６３ａ、制御信号６３ｂおよび個別パイロット信号６３ｃを抽出する。
【００３６】
復号処理部６４は、分離処理部６３からのデータ信号６３ａに対して、ターボ復号やビタビ復号等の復号処理を行い、それによって生成された復号データ６４ａを受信データ制御部５３へ送出する。受信データ制御部５３は、復号データ６４ａの内容に応じた処理を行う。
【００３７】
プライマリー基地局ＩＤ抽出部６５は、分離処理部６３からの制御信号６３ｂからプライマリー基地局ＩＤを抽出し、その抽出したプライマリー基地局ＩＤ６５ａをユーザ管理部５４へ送出する。また、ＡＣＫ信号などの制御信号も抽出する。
【００３８】
受信電力測定部６６は、分離処理部６３からの個別パイロット信号６３ｃから受信電力、受信ＳＩＲ、伝搬損失等の受信電力パラメータを測定し、その測定した受信電力パラメータ６６ａを電力制御コマンド生成部６７およびユーザ管理部５４へ送出する。
【００３９】
電力制御コマンド生成部６７は、自局が所望する予め設定された所望ＳＩＲと、受信電力測定部６６によって測定された移動局４の受信ＳＩＲとを比較することにより、電力制御コマンド６７ａを生成し、ユーザ管理部５４および送信処理部５６へ送出する。
【００４０】
この電力制御コマンド６７ａの内容は、受信電力測定部６６によって測定された移動局４の受信ＳＩＲが自局内の所望ＳＩＲより大きい場合には、移動局４の送信電力を減少させる電力制御コマンド「０」が生成され、上記移動局４の受信ＳＩＲが自局内の所望ＳＩＲより小さい場合には、移動局４の送信電力を増加させる電力制御コマンド「１」が生成される。
【００４１】
ユーザ管理部５４は、プライマリー基地局ＩＤ抽出部６５からのプライマリー基地局ＩＤ６５ａ、受信電力測定部６６からの受信電力パラメータ６６ａに含まれる受信ＳＩＲ、および電力制御コマンド生成部６７からの電力制御コマンド６７ａから、自局が移動局４からプライマリー基地局として選択されているかを判定する。
【００４２】
送信データ制御部５５は、プライマリー基地局として選択されていると判定した場合に、移動局４へ送信する送信データ５５ａを送信処理部５６へ送出する。送信処理部５６は、送信データ制御部５５からの送信データ５５ａに対してターボ符号化や畳み込み符号化等の符号化処理を行い、更に変調処理等の信号処理を行い、無線処理部５２へ送出する。
【００４３】
無線処理部５２は、送信処理部５６からの送信信号５６ａに対してＤ／Ａ変換やアップコンバート等の無線処理を行い、その無線信号をアンテナ５１へ送出する。アンテナ５１は、下り高速共用チャネルを用いて無線信号を移動局４へ送信する。
【００４４】
また、送信処理部５６は、電力制御コマンド生成部６７からの電力制御コマンド６７ａに対して変調処理等の信号処理を行い、無線処理部５２へ送出する。無線処理部５２は、電力制御コマンドに対してＤ／Ａ変換やアップコンバート等の無線処理を行い、その無線信号をアンテナ５１へ送出する。アンテナ５１は、下り個別チャネルを用いて電力制御コマンドの無線信号を移動局４へ送信する。
【００４５】
なお、基地局の構成は上記したブロック単位に限定されることはなく、例えば、信号の流れに沿って隣り合ったブロックを同一ブロックにしても良い等、その組み合わせはハード構成のしやすさにより構成して構わない。
【実施例１】
【００４６】
次に、図１〜図４を用いて、移動通信システムの実施例１の動作を説明する。  
図４は、実施例１における送信電力制御を示すシーケンスである。なお、図４のシーケンスは、右から左への時間軸に沿って進行している。
【００４７】
タイミングＴｂ１、Ｔｂ２、Ｔｂ３の周期はＴｂであり、基地局選択制御の最小基本タイミングである。また、タイミングＴ１ａ〜Ｔ８ａ、Ｔ１〜Ｔ８、Ｔ９〜Ｔ１６の周期はＴｐであり、送信電力制御の最小基本タイミングである。３ＧＰＰでは、周期Ｔｂは、周期Ｔｐの３倍、４倍、５倍、８倍、１５倍から選択することが定義されており、この例では、８倍として、以下説明する。
【００４８】
移動局４は、タイミングＴｂ１において、基地局１〜３からの共通パイロット信号の下り伝搬環境の受信品質を測定して、受信品質最良の基地局、例えば基地局１をプライマリー基地局として決定する（シーケンスＳ１）。この測定は、タイミングＴｂ１内のタイミングＴ１ａ〜Ｔ８ａすべての区間を利用する必要はないが、なるべく長く測定すると精度が向上する。
【００４９】
なお、このプライマリー基地局の決定方法は、基地局の所有するリソースを基にした基地局選択等であってもよい。
【００５０】
そして、移動局４は、この決定したプライマリー基地局である基地局１のＩＤを、次のタイミングＴｂ２内のすべてのタイミングＴ１〜Ｔ８で、基地局１〜３へ送信する（シーケンスＳ２）。３ＧＰＰでは、決定したプライマリー基地局ＩＤを、Ｔｂ内のすべてのＴｐのタイミング（タイミングＴｂ１の場合、タイミングＴ１〜Ｔ８）で送信することが定義されている。
【００５１】
このプライマリー基地局ＩＤは、上り制御チャネルの送信信号として送信電力制御が行われて基地局１〜３へ送信される。そして、これを受信した基地局１〜３は、各基地局所望の受信ＳＩＲと比較し、所望の受信ＳＩＲになるように、上り制御チャネルの送信信号の送信電力の増減を指示するＴＰＣ（送信電力制御コマンド）を移動局４へ送信する。これはＴｐ周期で行われる閉ループの電力制御であり、これをＴｐ周期で繰り返す。
【００５２】
本発明の実施例１では、移動局４は、プライマリー基地局ＩＤを送信するタイミングＴｂ２内のＴ１〜Ｔ８のすべてのタイミングにおいて、当該プライマリー基地局から送信されるＴｐ周期のＴＰＣ（送信電力制御コマンド）に従って、当該プライマリー基地局ＩＤの送信信号の送信電力を制御して基地局１〜３へ送信する。
【００５３】
従って、移動局４は、タイミングＴｂ２内において、プライマリー基地局である基地局１からのＴＰＣ（符号３１）の内、ハッチングで図示したＴ１〜Ｔ８のＴＰＣの「１（アップ）」又は「０（ダウン）」指示に基いて、基地局１のＩＤの送信信号の送信電力をＰ１〜Ｐ８のように予め決められた単位電力ずつ増減制御して基地局１〜３へ送信する。
【００５４】
このことにより、プライマリー基地局ＩＤを送信する期間では、その基地局ＩＤを持つプライマリー基地局からの電力制御に従うので、少なくともそのプライマリー基地局では誤りなくプライマリー基地局ＩＤを受信することができる。
【００５５】
タイミングＴｂ２において、プライマリー基地局ＩＤを受信した基地局１〜３の中のプライマリー基地局である基地局１は、次のタイミングＴｂ３において、移動局４へ高速下りデータ伝送を行う（シーケンスＳ３）。
【００５６】
なお、この高速下りデータ伝送に使用されるチャネルは、下り高速共用チャネル１ａに限定されず、データ量が少ない場合などには下り個別チャネル１ｃを使用して送信しても良い。
【００５７】
以上のシーケンスＳ１、Ｓ２、Ｓ３の関係が以降も周期Ｔｂ分シフトして行われる。つまり、タイミングＴｂ２において、下り伝搬環境の受信品質を測定し、例えばタイミングＴｂ１と同じ基地局１をプライマリー基地局として決定したとする（シーケンスＳ１）。
【００５８】
そして、タイミングＴｂ３において、タイミングＴｂ２で決定したプライマリー基地局である基地局１のＩＤを送信する（シーケンスＳ２）。この送信も、同様に、プライマリー基地局である基地局１からのＴＰＣ（符号３１）の内、ハッチングで図示したＴ９〜Ｔ１６のＴＰＣの「１（アップ）」又は「０（ダウン）」指示に基いて、基地局１のＩＤの送信信号の送信電力をＰ９〜Ｐ１２、・・Ｐ１６（図示せず）のように制御して基地局１〜３へ送信する。
【００５９】
タイミングＴｂ３でプライマリー基地局ＩＤを受信した基地局１〜３の中のプライマリー基地局である基地局１は、次のタイミングＴｂ４（図示せず）において、移動局４へ高速下りデータ伝送を行う（シーケンスＳ３）。以降も周期Ｔｂ分シフトして継続する。
【００６０】
以上説明した移動局４内での送信電力制御を符号３４で表わす。プライマリー基地局として基地局１を選択した結果、基地局１からのＴＰＣ（符号３１）のハッチングで図示したビットがそのまま、移動局４内の送信電力制御ビット（符号３４）となり、これに基いて送信電力制御が行われる。基地局２からのＴＰＣ（符号３２）および基地局３からのＴＰＣ（符号３３）は無視される。
【００６１】
このように実施例１によれば、移動局４は、アクティブセット基地局１〜３の中からプライマリー基地局として選択されている基地局からの電力制御コマンドに従って、上り制御チャネル４ａの送信電力を制御する。これにより、プライマリー基地局として選択されている基地局は、上り制御チャネル４ａにより送信されるプライマリー基地局ＩＤを誤りなく受信できる。したがって、移動局４はプライマリー基地局との間で確実に通信可能な状態を確保することになり、通信の確実性を上げることができる。
【実施例２】
【００６２】
本発明を適用した移動通信システムの実施例２について、図５を用いて説明する。  
図５は、実施例２における移動通信システムの送信電力制御を示すシーケンスである。なお、この実施例２におけるシステム構成、移動局４の構成、および基地局１〜３の構成は、図１、図２、図３に示したものと同じである。なお、図４と同じ部分は同一符号を付与する共に、システム構成、移動局４の構成、および基地局１〜３の構成は、図１〜図３を参照して説明する。
【００６３】
移動局４は、基地局１〜３からの共通パイロット信号の下り伝搬環境の受信品質を測定して、受信品質最良の基地局をプライマリー基地局として決定する。プライマリー基地局として、タイミングＴｂ１では基地局１を決定し（シーケンスＳ１）、タイミングＴｂ２では基地局２に変更することが決定した（シーケンスＳ１１）とする。なお、このプライマリー基地局の決定は周期Ｔｂ内の早い段階、例えば、タイミングＴｂ２においては、タイミングＴ５までに決定されるものとする。
【００６４】
この場合、移動局４は、それぞれのプライマリー基地局決定に対応して、基地局１ＩＤをタイミングＴｂ２で基地局１〜３へ送信し（シーケンスＳ２）、この基地局１から変更になった基地局２ＩＤを次のタイミングであるタイミングＴｂ３で基地局１〜３へ送信する（シーケンスＳ１２）。
【００６５】
この時の送信電力制御は、次のように行われる。タイミングＴｂ２での基地局１ＩＤの送信電力制御は、基地局１からのＴＰＣ（符号３１）の内、実線のハッチングで図示したＴ１〜Ｔ５のＴＰＣの「１（アップ）」又は「０（ダウン）」指示に従って、基地局１のＩＤの送信信号の送信電力をＰ１〜Ｐ５のように制御して基地局１〜３へ送信する。
【００６６】
タイミングＴ５の時点では、次回のプライマリー基地局が基地局２に変更になることが決定している。この場合、タイミングＴｂ３での基地局２ＩＤの送信（シーケンスＳ１２）に先立って、周期Ｔｐ３個分のオフセットだけ早いタイミングＴ６からＴ８での基地局１ＩＤの送信電力制御（シーケンスＳ２）は、次回変更になる基地局２からのＴＰＣ（符号３２）の内、点線のハッチングで図示したＴ６〜Ｔ８のＴＰＣの「１（アップ）」又は「０（ダウン）」指示に従って、基地局１のＩＤの送信信号の送信電力をＰ６０〜Ｐ８０のように制御して基地局１〜３へ送信する。
【００６７】
このことにより、オフセット分だけ先だって基地局２からの電力制御に従うので、基地局２が所望する送信電力に早めに到達する。そして、タイミングＴｂ３での基地局２ＩＤの送信（シーケンスＳ１２）時に、基地局２は確実に基地局２ＩＤを誤りなく受信することができる。
【００６８】
なお、タイミングＴｂ２において、基地局１ＩＤの送信（シーケンスＳ２）は、後半のタイミングＴ６〜Ｔ８については、意図しない基地局２からのＴＰＣに従って送信電力制御が行われる。しかし、一般にプライマリー基地局は、周期Ｔｂで頻繁に切り換わることはなく、タイミングＴｂ１やその前のタイミングにおいては、基地局１がプライマリー基地局として選択されている確立が高い。このため、基地局１ＩＤの送信電力は、基地局１が所望する値に継続して到達している可能性が高い。
【００６９】
ゆえに、最後のタイミングＴ６〜Ｔ８で、意図しない基地局２からのＴＰＣに従って送信電力制御が行われたとしても、基地局１が所望する送信電力と大きく変わることはない。従って、タイミングＴｂ２において、基地局１ＩＤの送信（シーケンスＳ２）に対して、基地局１は、誤りなく基地局１ＩＤを受信することができる。
【００７０】
以上説明した移動局４内での送信電力制御を符号３４で表わす。基地局１からのＴＰＣ（符号３１）の実線のハッチングで図示したビットと、基地局２からのＴＰＣ（符号３２）の点線のハッチングで図示したビットが、移動局４内の送信電力制御ビット（符号３４）となり、送信電力制御が行われる。
【００７１】
この実施例２によれば、次回のプライマリー基地局ＩＤを受信するタイミングでは、余裕を持って次回のプライマリー基地局の所望ＳＩＲに近いＳＩＲとなっており、プライマリー基地局は確実にプライマリー基地局ＩＤを受信することができる。したがって、移動局はプライマリー基地局との間で確実に通信可能な状態を確保することになり、通信の確実性を上げることができる。
【実施例３】
【００７２】
本発明を適用した移動通信システムの実施例３について、図６および図７を用いて説明する。図６および図７は、実施例３における移動通信システムの送信電力制御を示すシーケンスであり、図６は上り伝搬環境品質が劣悪な基地局へ切り換える場合、図７は上り伝搬環境品質が良好な基地局へ切り換える場合を示す。なお、図６および図７でも電力制御のシーケンスを説明するために、時間軸は右から左へと時間が進行している。
【００７３】
図６を参照して、上り伝搬環境品質が劣悪な基地局へ切り換える場合について、以下に説明する。なお、図５と同じ構成は同一符号を付与すると共に、システム構成、移動局４の構成、および基地局１〜３の構成は、図１〜図３を参照し、実施例２と異なるところについて主に説明する。
【００７４】
移動局４は、基地局１〜３からの共通パイロット信号の下り伝搬環境の受信品質を測定して、受信品質最良の基地局をプライマリー基地局として決定する。プライマリー基地局として、タイミングＴｂ１では基地局１を決定し（シーケンスＳ１）、タイミングＴｂ２では基地局２に変更することが決定した（シーケンスＳ１１）とする。なお、このプライマリー基地局の決定は周期Ｔｂ内の早い段階、例えば、タイミングＴｂ２では、タイミングＴ５までに決定されるものとする。
【００７５】
ところで、プライマリー基地局ＩＤの送信は移動局の上りの制御チャネルが使用されるが、その場合、下り伝搬環境が最良である基地局に対する上り伝搬環境が必ずしも最良であるとは限らず、プライマリー基地局ＩＤを確実にプライマリー基地局に伝達できるとは限らない。
【００７６】
そこで、この実施例３では、移動局４が基地局１〜３への上り伝搬環境を推定し、それも参照して、上り制御チャネル４ａの送信電力制御を行い、プライマリー基地局ＩＤを確実にプライマリー基地局に伝達するようにしている。
【００７７】
まず、移動局４は、基地局１〜３への上り伝搬環境の推定を行う。この推定は、基地局１〜３からの所定期間内の電力制御コマンド（ＴＰＣ）を使用して行う。これは、基地局から電力制御コマンド「１」が送信される場合は、当該基地局より送信電力増加が要求されている、つまり、上り伝搬環境が劣悪であることを意味する。ゆえに、所定期間内の電力制御コマンドが「１」である比率（以後、Ｕｐ率と称する）が高いほど上り伝搬環境が劣悪であり、Ｕｐ率が低いほど上り伝搬環境が良好であると判断できる。
【００７８】
そこで、移動局４は、周期Ｔｂ内の前半のタイミング、例えばタイミングＴｂ２であれば、タイミングＴ１〜Ｔ５期間の基地局１〜３からの電力制御コマンド（図６の符号３１〜３３）を受信して、基地局１〜３の上記Ｕｐ率を算出する。タイミングＴ１〜Ｔ５における基地局１のＵｐ率は、電力制御コマンド３１が「０」「０」「１」「１」「０」であり、「１」の数が２個なので、２個／５個＝０．４である。また、タイミングＴ１〜Ｔ５における基地局２のＵｐ率は、電力制御コマンド３２より、３個／５個＝０．６である。また、タイミングＴ１〜Ｔ５における基地局３のＵｐ率は、電力制御コマンド３３により、４個／５個＝０．８である。
【００７９】
タイミングＴ５の時点では、次回のプライマリー基地局が基地局１から基地局２に変更になることが決定している。また、タイミングＴ５の時点で、このプライマリー基地局への上り伝搬環境は、基地局１＝０．４と、基地局２＝０．６が推定されている。つまり、タイミングＴｂ３では、基地局１＝０．４と比較して劣悪な基地局２＝０．６の上り伝搬環境で基地局２ＩＤを送信することになる（シーケンスＳ１２）。
【００８０】
この場合、タイミングＴｂ３での基地局２ＩＤの送信（シーケンスＳ１２）に先立って、オフセット分早いタイミングＴ６〜Ｔ８での基地局１ＩＤの送信電力制御（シーケンスＳ２）は、次回変更になる基地局２からのＴＰＣ（符号３２）の内、点線のハッチングで図示したＴ６〜Ｔ８のＴＰＣの「１（アップ）」又は「０（ダウン）」指示に従って、基地局１のＩＤの送信信号の送信電力をＰ６０〜Ｐ８０のように制御して基地局１〜３へ送信する。
【００８１】
このことにより、オフセット分だけ先だって、上り伝搬環境の比較的劣悪な基地局２からの電力制御に従うので、基地局２が所望する送信電力に早めに到達する。そして、タイミングＴｂ３での基地局２ＩＤの送信（シーケンスＳ１２）時に、基地局２は確実に基地局２ＩＤを誤りなく受信することができる。
【００８２】
図７を参照して、上り伝搬環境品質が比較的良好な基地局へ切り換える場合について、以下に説明する。  
移動局４は、基地局１〜３からの共通パイロット信号の下り伝搬環境の受信品質を測定して、受信品質最良の基地局をプライマリー基地局として決定する。プライマリー基地局として、タイミングＴｂ１では基地局３を決定し（シーケンスＳ１）、タイミングＴｂ２では基地局１に変更することが決定した（シーケンスＳ１１）とする。なお、このプライマリー基地局の決定は周期Ｔｂ内の早い段階、例えば、タイミングＴｂ２においては、タイミングＴ５までに決定されるものとする。
【００８３】
タイミングＴ５の時点では、プライマリー基地局が今回の基地局３から次回は基地局１に変更になることが決定している。また、タイミングＴ５の時点で、このプライマリー基地局への上り伝搬環境は、基地局３＝０．８と、基地局１＝０．４が推定されている。つまり、タイミングＴｂ３では、基地局３＝０．８と比較して良好な基地局１＝０．４の上り伝搬環境で基地局１ＩＤを送信することになる（シーケンスＳ１２）。
【００８４】
この場合、タイミングＴｂ３での基地局１ＩＤの送信（シーケンスＳ１２）は、オフセット分先立った送信電力制御は行わないで、タイミングＴｂ３のタイミングＴ９以降において、基地局１からのＴＰＣ（符号３１）の内、点線のハッチングで図示したタイミングＴ９〜Ｔ１６のＴＰＣの「１（アップ）」又は「０（ダウン）」指示に従って、基地局１のＩＤの送信信号の送信電力をＰ９〜Ｐ１２、・・Ｐ１６（図示せず）のように制御して基地局１〜３へ送信する。
【００８５】
このように、オフセット分だけ先立たなくても、上り伝搬環境の比較的良好な基地局１への上り送信であるため、タイミングＴｂ３での基地局１ＩＤの送信（シーケンスＳ１２）時に、基地局１は確実に基地局１ＩＤを誤りなく受信することができる。
【００８６】
この実施例３によれば、移動局は、基地局への上り伝搬環境の推定を行い、推定結果に基づいて送信電力制御の方法を変更することが出来る。これにより、プライマリー基地局へプライマリー基地局ＩＤを確実に伝達することができる。したがって、移動局はプライマリー基地局との間で確実に通信可能な状態を確保することになり、通信の確実性を上げることができる。
【実施例４】
【００８７】
本発明を適用した移動通信システムの実施例４について、図８を参照して説明する。  
図８は、実施例４における移動通信システムの送信電力制御を示すシーケンスを示す。なお、図８も、電力制御のシーケンスを説明するために、時間軸は右から左へと時間が進行している。
【００８８】
以下、実施例３と異なるところについて説明する。なお、図６、図７と同じ構成は同一符号を付与すると共に、システム構成、移動局４の構成、および基地局１〜３の構成は、図１〜図３を参照して説明する。
【００８９】
移動通信システムにおいては、移動局４がアクティブセットの全基地局に対して、上り制御チャネル４ａにより確実に送信出来ることを保証しなければならない制御信号がある。例えば、プライマリー基地局から移動局４への下り高速データ伝送が送信された時に、これに応答して移動局４からアクティブセットの全基地局にＡＣＫ信号（確認応答情報）を返す必要がある。このＡＣＫ信号は、移動局４からアクティブセットの全基地局に確実に送信されなければならない。
【００９０】
これは、プライマリー基地局が時間の経過と伴に常に切り換わっているため、プライマリー基地局以外の基地局においても、下りの高速データ伝送の状況を把握する必要があるためである。このＡＣＫ信号の伝送が確実に行われない場合、下りの高速データ伝送の状況を把握するために、移動局４とアクティブセットの全基地局との間で、新たに状況確認のシーケンスが増えてしまうことになる。
【００９１】
実施例４では、移動局４は、この下りの高速データ伝送に対するＡＣＫ信号の送信をタイミングＴｂ２内のタイミングＴ５時に決定したとする（シーケンスＳ１１）。そして、移動局４は、ＡＣＫ信号をタイミングＴｂ３のタイミングＴ９とＴ１０において、アクティブセットの全基地局に送信する（シーケンスＳ１２）。
【００９２】
この場合、タイミングＴｂ３でのＡＣＫ信号の送信（シーケンスＳ１２）に先立って、オフセット分早いタイミングＴ６〜Ｔ８での基地局１ＩＤの送信電力制御（シーケンスＳ２）は、上り伝搬環境の最悪な基地局３からのＴＰＣ（符号３３）の内、点線のハッチングで図示したＴ６〜Ｔ８のＴＰＣの「１（アップ）」又は「０（ダウン）」指示に従って、基地局１のＩＤの送信信号の送信電力をＰ６０〜Ｐ８０のように制御して基地局１〜３へ送信する。
【００９３】
このことにより、オフセット分だけ先だって、上り伝搬環境の最悪な基地局３からの電力制御に従うので、上り伝搬環境の最悪な基地局３が所望する送信電力に早めに到達する。これは、基地局３よりも上り伝搬環境の良好な他の基地局が所望する送信電力を必要十分に満足することになる。従って、タイミングＴｂ３のタイミングＴ９とＴ１０でのＡＣＫ信号の送信（シーケンスＳ１２）時に、全基地局は確実にＡＣＫ信号を誤りなく受信することができる。
【００９４】
ＡＣＫ信号の送信後のタイミングＴ１１以降は、再び、プライマリー基地局である基地局１からのＴＰＣ（符号３１）の内、実線のハッチングで図示したＴ１１以降のＴＰＣの「１（アップ）」又は「０（ダウン）」指示に従って、上りの制御チャネルの送信電力制御を行う。
【００９５】
このような実施例４によれば、上り伝搬環境の最悪の基地局への上り伝搬環境を保証することにより、アクティブセットの全基地局１〜３への上り伝搬環境を保証することが出来る。したがって、移動局４からアクティブセットの全基地局１〜３へのＡＣＫ信号の伝達を確実なものにすることができる。
【００９６】
なお、実施例４の制御はＡＣＫ信号に限定されず、基地局１〜３すべてに対して確実に伝達すべきシステム必須情報の伝達にも適用できる。
【実施例５】
【００９７】
本発明に係る移動通信システムの基地局について、図９を用いて説明する。  
図９は、基地局が、自局がプライマリー基地局であるか否かを判断する動作を示すフローチャートである。
【００９８】
基地局は、第１判断（ステップＳ５１）として、移動局４から周期Ｔｐで送信されるプライマリー基地局ＩＤを受信し、周期Ｔｂ内の８個のプライマリー基地局ＩＤと自局ＩＤとを比較チェックする。そして、自局が移動局４からプライマリー基地局として選択されているかどうかを確認する（ステップＳ５２、Ｓ５３）。これは、８個の内の多数決判定などでも構わない。
【００９９】
自局ＩＤと一致すればプライマリー基地局に選択されているとし（ステップＳ５３のＹＥＳ（「正」））、不一致であればプライマリー基地局に選択されていないとする（ステップＳ５３のＮＯ（「否」））。
【０１００】
ステップＳ５３がＹＥＳ（「正」）の場合は、第２判断（ステップＳ６１）へ進む。一方、ステップＳ５３がＮＯ（「否」）の場合は、更に、上り制御チャネル４ａの受信ＳＩＲからプライマリー基地局ＩＤの周期Ｔｂ内における受信ＳＩＲの平均値を算出し、予め設定される所定の閾値と比較する（ステップＳ５４）。そして、その算出した受信ＳＩＲの平均値が所定の閾値より小さい場合（ステップＳ５４の小）は、上り制御チャネル４ａの回線品質が悪いことを意味する。ゆえに、基地局は、この上り制御チャネル４ａを用いて移動局４から受信したプライマリー基地局ＩＤが間違っている可能性があると判断して、第２判断（ステップＳ６１）へ進む。
【０１０１】
受信ＳＩＲの平均値が所定の閾値より大きい場合（ステップＳ５４の大）は、上り制御チャネル４ａの回線品質が良いことを意味する。ゆえに、基地局は、この上りの制御チャネル４ａを用いて移動局４から受信したプライマリー基地局ＩＤは間違いがないと判断して、自局と一致しないことを最終判断とする（ステップＳ６６）。
【０１０２】
次に、第２判断（ステップＳ６１）に進む。実施例１〜実施例４に示した移動局４は、プライマリー基地局からのＴＰＣ（電力制御コマンド）に従って、送信電力制御を行う。その場合、プライマリー基地局では、所望ＳＩＲに到達して、プライマリー基地局のＴＰＣは、増加指示の「１（アップ）」または低下指示の「０（ダウン）」に偏ることはない。
【０１０３】
一方、プライマリー基地局として選択されていない基地局では、自局のＴＰＣに移動局が従っていないために、所望ＳＩＲに到達せず、自局のＴＰＣが増加指示の「１（アップ）」または低下指示の「０（ダウン）」に偏る。
【０１０４】
そこで、基地局は、所定期間（任意に設定）におけるＴＰＣが「１」の割合(Ｕｐ率)を算出し、それをもとに最終判断を行う。所定期間としては、例えば周期Ｔｂを用いる。基地局は、ＴＰＣのＵｐ率を算出し、その算出したＵｐ率と自局内に予め設定された所定の上限閾値および下限閾値と比較する。そして、下限閾値＜Ｕｐ率＜上限閾値の関係を有する場合（ステップＳ６３のＹＥＳ（「正」））は、ＴＰＣが偏っていないと判断する。その結果、基地局は、移動局４からプライマリー基地局として選択されていると判断する（ステップＳ６４）。
【０１０５】
また、下限閾値＜Ｕｐ率＜上限閾値の関係を有しない場合は、ＴＰＣが偏っていると判断する。その結果、基地局は、移動局４からプライマリー基地局として選択されていないと判断する（ステップＳ６５）。
【０１０６】
このように実施例５によれば、プライマリー基地局ＩＤによる第１判断と、ＴＰＣによる第２判断とを併用することにより、基地局が移動局によりプライマリー基地局として選択されているか否かの判断を信頼性高くして実行することが出来る。したがった、移動局である移動通信端末よりデータ伝送を要求されていないにもかかわらず、誤ってデータを送信することによる干渉の増加やチャネル利用効率の低下といった問題を低減させることが可能となる。
【図面の簡単な説明】
【０１０７】
【図１】本発明の各実施例に係る移動通信システムの構成図。
【図２】本発明の各実施例に係る移動局のブロック図。
【図３】本発明の各実施例に係る基地局のブロック図。
【図４】本発明の実施例１における移動通信システムの送信電力制御を示すシーケンス。
【図５】本発明の実施例２における移動通信システムの送信電力制御を示すシーケンス。
【図６】本発明の実施例３における移動通信システムの送信電力制御を示すシーケンス（上り伝搬環境品質が劣悪な基地局へ切り換える場合）。
【図７】本発明の実施例３における移動通信システムの送信電力制御を示すシーケンス（上り伝搬環境品質が良好な基地局へ切り換える場合）。
【図８】本発明の実施例４における移動通信システムの送信電力制御を示すシーケンス。
【図９】本発明の実施例５における基地局の動作を示すフローチャート。
【符号の説明】
【０１０８】
１、２、３  基地局
４  移動局
１１  アンテナ
１２  無線処理部
１３  同期処理部
１４  信号処理部
１５  分離処理部
１６  復号処理部
１７  受信データ制御部
１８  受信電力測定部
１９  基地局選択部
２０  電力制御コマンド抽出部
２１  送信データ制御部
２２  送信電力制御部
２３  送信処理部
３１、３２、３３  電力制御コマンド
３４  内部電力制御コマンド
５１  アンテナ
５２  無線処理部
５３  受信データ制御部
５４  ユーザ管理部
５５  送信データ制御部
５６  送信処理部
６０  受信処理部
６１  同期処理部
６２  信号処理部
６３  分離処理部
６４  復号処理部
６５  プライマリー基地局ＩＤ抽出部
６６  受信電力測定部
６７  電力制御コマンド生成部
【図１】
2005184099.tif 000003
【図２】
2005184099.tif 000004
【図３】
2005184099.tif 000005
【図４】
2005184099.tif 000006
【図５】
2005184099.tif 000007
【図６】
2005184099.tif 000008
【図７】
2005184099.tif 000009
【図８】
2005184099.tif 000010
【図９】
2005184099.tif 000011